(57)【要約】【課題】プレイ待ちの利用者数を減少させ、利用者の退屈感を解消するとともに、遊技施設内の設備稼働率を向上させる。【解決手段】利用料金の受け入れて所定のプレイ動作を実行する自動写真撮影装置であって、利用時間の予約を受け付ける予約受付手段と、予約された利用時間を予約特定情報と関連づけて記録する記録手段と、前記予約特定情報を記録した予約券を発行する予約券発行手段と、予約券から予約特定情報を読み取る予約券読取手段とを備え、予約された利用時間においては、予約券読取手段による予約特定情報の読み取りが行われ、かつ、当該利用時間と読み取られた予約特定情報に関連付けられた利用時間とが一致する場合にのみプレイ動作を実行するよう構成する。【選択図】　　　図６
2004118507.tif 000002
【特許請求の範囲】
【請求項１】
利用者を撮影するための撮影手段と、利用料金の受け入れを検出する利用料金検出手段とを備え、所定の利用料金が検出された場合に所定の動作を実行する自動写真撮影装置であって、
利用者が希望する利用時間の予約を受け付ける予約受付手段と、
各予約を特定する予約特定情報及び予約された利用時間を関連付けて記録する記録手段と、
予約の受付に際して発行される予約券であって、前記予約特定情報を記録した予約券を発行する予約券発行手段と、
前記予約券に記録された前記予約特定情報を読み取る予約券読取手段とを備え、
予約された利用時間においては、
予約券読取手段による予約特定情報の読み取りが行われ、かつ、
当該利用時間と読み取られた予約特定情報に関連付けられた利用時間とが一致する場合に、前記所定の動作を実行し、
予約券読取手段による予約特定情報の読み取りが行われない場合、又は、
当該利用時間と読み取られた予約特定情報に関連付けられた利用時間とが一致しない場合には、前記所定の動作を実行しないことを特徴とする自動写真撮影装置。
【請求項２】
予約料金の受け入れを検出する予約料金検出手段を更に備え、所定の予約料金が検出された場合に前記予約券発行手段が予約券を発行することを特徴とする請求項１に記載の自動写真撮影装置。
【請求項３】
前記予約された利用時間以外の時間帯においては、
前記予約券読取手段により読み取られた予約特定情報が、前記記憶手段に記憶されたいずれかの予約特定情報と一致する場合には、利用料金が検出がなされない場合であっても、前記所定の動作を実行することを特徴とする請求項２に記載の自動写真撮影装置。
【請求項４】
予約された利用時刻を含む所定の時間帯において、予約時間帯であることを告知する予約状況告知手段を更に備えることを特徴とする請求項１〜３のいずれか一項に記載の自動写真撮影装置。
【請求項５】
写真撮影の際に利用者が位置すべき撮影位置へのアクセス経路を２つ備え、一方のアクセス経路は、予約された利用時間に当該利用時間の予約に際して発行された予約券を用いてプレーを行う利用者が利用し、他方のアクセス経路は、上記以外の利用者が利用することを特徴とする請求項１〜４のいずれか一項に記載の自動写真撮影装置。
【請求項６】
写真撮影の際に利用者が位置すべき撮影位置へのアクセス経路を２つ備え、一方のアクセス経路には、予約された利用時間において、利用者の進入を禁止する手段が設けられていることを特徴とする請求項１〜５のいずれか一項に記載の自動写真撮影装置。
【発明の詳細な説明】
【０００１】
【発明の属する技術分野】
本発明は、予約機能を具備する自動写真撮影装置に関する。
【０００２】
【従来の技術】
従来より、所定の利用料金が支払われた場合に、利用者の画像をカメラにより撮影し、撮影された画像に編集などを行った後に、画像をプリントした写真シールを提供する自動写真撮影装置が知られている。
【０００３】
このような自動写真撮影装置は、利用料金が投入されると、１プレイの間に、写真撮影のためのセッション、撮影画像に対する編集入力のためのセッション、撮影画像、又は、編集後の画像のレイアウトのためのセッションなど、それぞれ所定の処理時間を要する複数のセッションが実行されるよう構成されており、１プレイの開始から終了までの所要時間が、数分から１０分程度に設定されている場合が多い。
【０００４】
このため、装置がプレイ中となっている場合には、利用者は、そのプレイが終了するまで待たなければならず、更には、利用が集中する曜日あるいは時間帯、または人気のある機種の場合には、プレイ待ちの行列ができる場合もある。
【０００５】
【発明が解決しようとする問題点】
このようなプレイ待ちの時間は、利用者に対しては退屈感を与えるものである。また、自動写真撮影装置は、多くの場合、複数の遊戯装置が設置される遊戯施設などに設置されるが、プレイ待ちを行っている間は、他の遊技装置を利用することができないため、プレイ待ちの人数が増えると、遊技施設の設備稼働率が低下することになる。
【０００６】
従って、プレイ待ちの利用者数を減少させ、遊戯施設の設備稼働率を向上させることができる自動写真撮影装置の開発が望まれていた。
【０００７】
【課題を解決するための手段】
本発明は、上記問題点を解決したものであり、利用者を撮影するための撮影手段と、利用料金の受け入れを検出する利用料金検出手段とを備え、所定の利用料金が検出された場合に所定の動作を実行する自動写真撮影装置であって、利用者が希望する利用時間の予約を受け付ける予約受付手段と、各予約を特定する予約特定情報及び予約された利用時間とを関連付けて記録する記録手段と、予約の受付に際して発行される予約券であって、前記予約特定情報を記録した予約券を発行する予約券発行手段と、前記予約券に記録された前記予約特定情報を読み取る予約券読取手段とを備え、予約された利用時間においては、予約券読取手段による予約特定情報の読み取りが行われ、かつ、当該利用時間と読み取られた予約特定情報に関連付けられた利用時間とが一致する場合に、前記所定の動作を実行し、予約券読取手段による予約特定情報の読み取りが行われない場合、又は、当該利用時間と読み取られた予約特定情報に関連付けられた利用時間とが一致しない場合には、前記所定の動作を実行しないことを特徴とする自動写真撮影装置である。
【０００８】
本発明によれば、所定の料金を検出した自動写真撮影装置が所定の動作を実行するよう構成され、これにより、利用者による自動写真撮影装置の利用が可能とされるとともに、利用時間の予約を行った利用者は、当該利用時間において予約券読取手段に予約券の読み取りを行わせることで、優先的に装置を利用することが可能となる。
【０００９】
従って、利用時間の予約を行った利用者は、プレイ待ちをすることなく自動写真撮影装置を利用することが可能となる。また、予約した利用時間までの間は、遊戯施設内の他の遊技用装置をプレイすることが可能であるため、遊技施設内の他の遊技用装置の稼働率の向上を期待することができる。
【００１０】
なお、本発明における予約特定情報は、各予約券が、予約受付手段が受け付けた特定の利用時間に対応するものであることの認証を行うために各予約券に記録されるものであり、かかる目的を達成するものであれば、予約受付順に付与する連続番号や予約された利用開始時刻、或いは、自動写真撮影装置が複数設置される場合は、各装置に付与された番号、記号と上記のごとき連続番号や利用開始時刻の組み合わせなど、任意の態様で予約特定情報を設定することが可能である。
【００１１】
更に、予約券への予約特定情報の記録は、予約券読取手段により読み取り可能な任意の方法で行うことができ、例えば、バーコードなど光学的に読み取り可能な方法や、磁気コードなど磁気的に読取可能な方法により記録することが可能である。
【００１２】
また、本発明においては、予約料金の受け入れを検出する予約料金検出手段を更に備え、所定の予約料金が検出された場合に予約券発行手段が予約券を発行するものとすることができる。
【００１３】
かかる態様によれば、利用者が予約した利用時間に装置の利用を行わなかった場合でも、当該利用時間中には他の利用者が装置を利用できなくなることによる利用料金の減収が補われることになる。
【００１４】
更に本発明は、前記予約された利用時間以外の時間帯においては、前記予約券読取手段により読み取られた予約特定情報が、前記記憶手段に記憶されたいずれかの予約特定情報と一致する場合には、利用料金が検出がなされない場合であっても、前記所定の動作を実行するものとすることが可能である。
【００１５】
かかる態様によれば、予約した利用時間中に装置を利用することができなくなった場合でも、予約券が無駄にすることがなくなるため、予約の利用が促進されるという効果を得ることができる。
【００１６】
また本発明は、写真撮影の際に利用者が位置すべき撮影位置へのアクセス経路を２つ備え、一方のアクセス経路は、予約された利用時間に当該利用時間の予約に際して発行された予約券を用いてプレーを行う利用者が利用し、他方のアクセス経路は、上記以外の利用者が利用するものとすることが可能であり、これにより、プレイ待ちをしている利用者がいる場合であっても、予約した利用者に対して心理的負担を与えることが防止される。
【００１７】
更に本発明は、写真撮影の際に利用者が位置すべき撮影位置へのアクセス経路を２つ備え、一方のアクセス経路は、予約された利用時間において、利用者の進入を禁止する手段を備えるものとすることが可能であり、予約をしていない利用者が予約時間中に撮影位置に進入することで、予約した利用者の利用に支障を来すことを防止することができる。
【００１８】
【発明の実施の形態】
以下、本発明の実施形態を、添付の図面を参照して説明する。
【００１９】
図１は、本発明の一実施形態に係る自動写真撮影装置１の構成を示す斜視説明図である。
【００２０】
図１に示されるように、筐体１０は、該筐体の略中央部に設置されたＣＣＤカメラ１１、該カメラにより撮影したリアルタイムの映像を表示する表示装置１２が設けられており、ＣＣＤカメラ１１下方には、各種情報の表示及び入力のためのタッチパネル式モニタ１３及びタッチペン１４が設けられている。
【００２１】
筐体１０の上部には、更に、撮影の際、ブース内の利用者に適切な照明を照射するための照明装置１５、音楽や利用者に対する案内を再生するためのスピーカ１６が設けられている。
【００２２】
また、装置正面下方には、利用料金を受け入れるためのコイン投入口１７及び予約券挿入口１８が設けられており、該挿入口１８から挿入された予約券は、後述の予約券読取手段５４により処理されるよう構成されている。
【００２３】
また筐体１０の側面には、予約料金を受け入れるためのコイン投入口１９、各種情報の表示及び入力のためのタッチパネル式モニタ２０及びタッチペン２１、予約券排出口２２、及び、印刷された写真シールを排出する写真シール排出口２３が設けられている。
【００２４】
更に、筐体１０の上部には、装置の予約状況を告知するための予約状況表示装置２４が設けられている。
【００２５】
撮影ブース３０は、筐体１０に隣接して設けられ、撮影ブース３０の天井面３１、筐体の対面に位置する背面３２、側面３３及び側面３３に対向する側面３４と、筐体１０により囲まれる空間に撮影スペースが形成されており、更に撮影ブースの各側面３３、３４には、それぞれ利用者が出入りするための開口３５、３６が設けられており、開口３５、３６には、必要に応じて該開口の開閉を行うためのカーテン乃至アコーディオンドアが設けられている。
【００２６】
なお、開口３５は、予約券を用いてプレーを行う利用者専用の出入り口とされ、開口３６は、予約券を用いずにプレーを行う利用者専用の出入り口とすることができる。
【００２７】
図２は、撮影ブース３０の側面３４側から見た本実施形態に係る自動写真撮影装置１の側面図である。
【００２８】
図示されるように、側面３４側に設けられた開口３６には、遮断機３８が設置され、後述するように、受け付けられた予約時間中には遮断機３８が閉じられて、開口３６からの利用者の進入を禁止しうるように構成されている。
【００２９】
また、筐体１０の内部には、図３に示す制御装置４０が設けられており、制御装置４０は、バス４１により相互に接続されるＣＰＵ４２、ＲＯＭ４３、ＲＡＭ４４、インターフェース（Ｉ／Ｆ）４５を備えている。インターフェース４５にはハードディスク４６、ＣＤ−ＲＯＭドライブ４７及び後述の外部機器が接続されている。
【００３０】
ＣＰＵ４２は、ＣＤ−ＲＯＭドライブ４７から読み込まれてハードディスク４６にインストールされたプログラムに従って、全体の動作、処理等を制御するものであり、ＲＯＭ４３は、制御装置を制御するための基本的なプログラムを格納し、ＲＡＭ４４は、ＣＰＵ４２の作業用データや、利用者が行った入力を一時的に記憶するものである。
【００３１】
インターフェース４５には、更に、タッチパネル式モニタ１３、２０、タッチペン１４、２１、照明制御装置４８、スピーカ１６に接続された音声出力装置４９、コイン投入口１７、１９から投入された料金を検出するコイン処理部５０、５１、プリンタ５２、予約特定情報を記録した予約券の発行を行う予約券発行手段５３、予約券から予約特定情報の読み取りを行う予約券読取手段５４などの外部機器が接続されており、ＣＰＵ４２とこれら各機器との間における信号の授受が可能とされている。
【００３２】
なお、タッチパネル式モニタ１３、２０は透明なタッチパネルをＣＲＴモニタに積層したものであり、モニタ上でタッチペン１４、２１を操作することで、種々の入力を可能とするものであり、プリンタ５２は、ＣＣＤカメラ１１により撮影した画像、或いは、これを編集、レイアウトした画像を例えばＡ６サイズの写真シールに印刷するものである。
【００３３】
以下、図４、５を用いて、本実施の形態に係る自動写真撮影装置１において行われる予約受付の一態様を説明する。
【００３４】
なお、以下では、自動写真撮影装置１の１プレイに要する処理時間は１０分間であり、利用者が予約した時間から１０分間のプレイ開始の遅れを許容する設定がなされているものとして説明する。
【００３５】
本実施の形態に係る自動写真撮影装置１においては、予約の受け付けは、筐体１０側面に設けられたタッチパネル式モニタ２０、タッチペン２１等を用いて行われる。
【００３６】
タッチパネル式モニタ２０には、待ち受け時において、図４に示す待受画面６０が表示されている。
【００３７】
画面６０において、６１は、予約時間表示であり、○印で表示される予約可能な時間帯と、×印で表示される予約できない時間帯とが一覧表形式で表示されている。なお、１７：３０〜１７：４０の時間帯は、先に予約が行われているために予約ができない時間帯であり、当該時間帯表示横にはその旨がカッコ書きで表示されており、１７：４０〜１７：５０の時間帯は、前記先の予約を行った利用者のプレー開始が遅れた場合を考慮して予約禁止とされたものである。
【００３８】
利用者は、予約時間表示６１のうち、利用を希望する時間帯の表示上でタッチペン２１を操作することで当該時間帯の表示をフラッシュさせ、画面６０右下のＯＫボタン６２をタッチペン２１で操作することで予約時間を確定することができる。
【００３９】
予約時間の確定が行われた場合には、例えば、画面６０に予約料金投入の指示が表示され、これに従って、コイン投入口１９から所定の利用料金の投入が行われると、予約券発行手段５３が当該予約に付与された固有の予約番号からなる予約特定情報を予約券に記録して、当該予約券が予約券排出口２２から排出される。また同時に、受け付けられた予約時間は、上記予約特定情報と関連づけてハードディスク４６に記録され、これにより予約の受け付けが完了する。
【００４０】
図５は、予約券発行手段５３により発行される予約券７０の一例であり、予約券７０の券面上には、挿入方向の指示表示７１及び受け付けられた予約時間７２が印刷表示されている。また、券面上の７３は磁気記録テープであり、当該磁気記録テープには、上述の予約番号が予約特定情報として記録されている。
【００４１】
なお、予約時間表示６１に利用を希望する時間帯が表示されていない場合には、画面６０左下の時間帯変更ボタン６３、６４をタッチペン２１により操作して、表示される時間帯を進めたり遅らせたりすることが可能である。
【００４２】
続いて、図６に示すフローチャートに基づいて、本実施の形態に係る自動写真撮影装置の動作について説明する。
【００４３】
自動写真撮影装置１は、待ち受け状態において、所定のプレイ料金検出の有無と現在時刻が受け付けが行われた予約時間であるか否かの判断を行うため、ステップＳ１、ステップＳ２の判断ループを実行する。
【００４４】
即ち、ステップＳ１においては、装置利用のための所定のプレイ料金がコイン処理部５０により検出されたか否かの判断が行われ、受け入れが検出されない場合、処理はステップＳ２に移行し、ステップＳ２において現在時刻が受け付けが行われたいずれかの予約時間に含まれているか否かの判断が行われ、含まれていない場合、処理は再度ステップＳ１に移行する。
【００４５】
そして、ステップＳ１において、プレイ料金の受け入れが検出された場合には、処理は上記判断ループを抜けてステップＳ９に移行し、自動写真撮影装置１は、写真撮影、撮影画像に対する編集の受け付け、画像の印刷などよりなる所定のプレイ動作を実行する。
【００４６】
一方、ステップＳ２において、現在時刻が受付が行われたいずれかの予約時間であると判断された場合には、処理は上記判断ループを抜けてステップＳ３に移行する。従って、例えば、図４に示すように、１７：３０〜１７：４０の時間帯が予約されているとすれば、現在時刻が１７：３０分になった以降に、最初にステップＳ２が実行された時点で、処理はステップＳ３に移行することとなる。
【００４７】
ステップＳ３においては、コイン投入口１７からのコイン投入が禁止されるとともに、遮断機３８が下ろされて開口３６からの利用者の進入が禁止され、これにより、プレイ料金の受け入れによるプレイ動作（通常プレイ）は禁止される。また、予約状況表示装置２４には、例えば「予約プレイ中」などの表記が表示され、装置が予約中であって予約者以外はプレイ出来ない旨の表示が表示される。
【００４８】
続いて、自動写真撮影装置１は、予約券待ち受け状態に移行し、予約券受け入れの有無と予約時間の経過の判断を行うため、ステップＳ４、Ｓ５よりなる判断ループを実行する。
【００４９】
即ち、ステップＳ４においては、予約券挿入口１８からの予約券７０の挿入がなされたか否かの判断が行われ、挿入が検出されない場合、処理はステップＳ５に移行し、ステップＳ５において、現在時刻が予約時間に含まれているか否かの判断が行われ、含まれている場合、処理は再度ステップＳ４に移行する。
【００５０】
そして、ステップＳ４において、予約券７０の挿入が検出された場合、処理は上記判断ループを抜けてステップＳ６に移行し、予約券７０に記録された予約特定情報の予約券読取手段５４による読み取りが行われる。
【００５１】
続いて、ステップＳ７において、読み取られた予約特定情報が、現在時刻が属する予約時間と関連づけてハードディスク４６に記録された予約特定情報と一致する場合には、処理はステップＳ９に移行し、自動写真撮影装置１は、写真撮影、撮影画像に対する編集の受け付け、画像の印刷などよりなる所定のプレイ動作を実行する。
【００５２】
所定のプレイ動作の終了（ステップＳ１０）後、ステップＳ１１において、通常プレイ禁止が解除され、コイン投入口１７からのコイン受付が再開されるとともに、遮断機３８が解放され、開口３５からの利用者の進入禁止が解除され、また、予約状況表示装置２４における予約中の告知が終了される。
【００５３】
ステップＳ１１の後、処理はステップＳ１、Ｓ２の判断ループに戻される。
【００５４】
一方、ステップＳ７において、読み取られた予約特定情報が、現在時刻が属する予約時間と関連づけてハードディスク４６に記録された予約特定情報と一致しない場合には、処理は、ステップＳ４、Ｓ５よりなる判断ループに戻される。この場合、例えば、タッチパネル式モニタ１３上において、予約券が正しくない旨の表示を行うものとすることが可能である。
【００５５】
また、ステップＳ５において、現在時刻が予約時間を経過していることが検出された場合には、処理はステップＳ４、Ｓ５の判断ループを抜けてステップＳ８に移行する。従って、例えば、図４に示すように、１７：３０〜１７：４０の時間帯が予約されているとすれば、現在時刻が１７：４０分になった以降に、最初にステップＳ５が実行された時点で、処理はステップＳ８に移行することとなり、通常プレイ禁止の解除と、予約状況表示装置２４における予約中の告知の終了が行われた後、処理は更にステップＳ１、Ｓ２の判断ループに戻される。
【００５６】
なお、上記実施の形態におけるステップＳ１においては、所定のプレイ料金の受入が検出された場合に加えて、予約券挿入口１８から予約券が挿入され、予約券読取手段５４により読み取られた予約特定情報が、前記記憶手段に記憶されたいずれかの予約特定情報と一致する場合、即ち、正規に受付が行われた予約券であることが確認された場合においても、ステップＳ９に処理を移行させ、自動写真撮影装置１にプレイ動作を実行させるものとすることも可能である。
【００５７】
【発明の効果】
以上の説明から明らかな通り、本発明によれば、所定の料金を検出した場合に写真撮影を含む所定の動作が行われる自動写真撮影装置において、利用時間の予約を行った利用者に予約券を発行し、予約された利用時間は、当該予約を行った利用者が優先的に装置を利用することができる自動写真撮影装置が実現され、利用時間の予約を行った利用者は、プレイ待ちをすることなく自動写真撮影装置を利用することが可能となり、また、予約を行った利用者が予約した利用時間までの間に、遊戯施設内の他の遊技用装置をプレイすることが可能であるため、遊技施設内の遊技用装置の稼働率の向上を期待することが可能となる。
【図面の簡単な説明】
【図１】図１は、本発明の一実施形態に係る自動写真撮影装置の構成を示す斜視説明図である。
【図２】図２は、本発明の一本実施形態に係る自動写真撮影装置の側面図である。
【図３】図３は、本発明の一本実施形態に係る自動写真撮影装置のシステム構成図である。
【図４】図４は、待ち受け時においてタッチパネル式モニタ２０に表示される待受画面の一例を示す説明図である。
【図５】図５は、予約券発行手段５３により発行される予約券７０の一例を示す説明図である。
【図６】図６は、本発明の一本実施形態に係る自動写真撮影装置の動作を示すフローチャートである。
【符号の説明】
１　自動写真撮影装置
１０　筐体
１１　カメラ
１２　表示装置
１３、２０　タッチパネル式モニタ
１４、２１　タッチペン
１５　照明装置
１６　スピーカ
１７、１９　コイン投入口
１８　予約券挿入口
２２　予約券排出口
２３　写真シール排出口
２４　予約状況表示装置
３０　撮影ブース
３１　天井面
３２　背面
３３　側面
３４　側面
３５　開口
３６　開口
３８　遮断機
４０　制御装置
４１　バス
４２　ＣＰＵ
４３　ＲＯＭ
４４　ＲＡＭ
４５　インターフェース
４６　ハードディスク
４７　ドライブ
４８　照明制御装置
４９　音声出力装置
５０、５１　コイン処理部
５２　プリンタ
５３　予約券発行手段
５４　予約券読取手段
６０　待受画面
６１　予約時間表示
６２　ＯＫボタン
６３　時間帯変更ボタン
７０　予約券
７１　指示表示
７２　予約時間
７３　磁気記録テープ
【図１】
2004118507.tif 000003
【図２】
2004118507.tif 000004
【図３】
2004118507.tif 000005
【図４】
2004118507.tif 000006
【図５】
2004118507.tif 000007
【図６】
2004118507.tif 000008